(57)【要約】【課題】コンクリート建物へのサッシ枠取付作業において、溶接作業による取付工法にかわるサッシ枠取付工法と、該工法に用いる躯体側取付材の提供を目的としたものである。【解決手段】躯体側取付材を平板状材にボルト貫通用の孔を設けた中継調節部とコンクリートへの埋込部、及び該埋込部と中継調節部とを区切るドーム状の仕切部よりなるものとし、一方サッシ枠へは取付基台とサッシ枠側連結部を有する従来のサッシ枠側取付材または従来のものに本工法に適合する機能を加えたもの、またサッシ枠側取付材の躯体側の受け材として平板状材にボルト貫通用の孔を設けて躯体側連結部とし、サッシ枠を躯体に取り付けるときには躯体側取付材の中継調節部に躯体側連結部を取り付けると共にサッシ枠の出入り調節を行い、またサッシ枠の上下・左右の位置調節はサッシ枠側取付材と躯体側連結部にて行った後に、双方の取付材をボルト・ナット締めにて取り付けるものである。【選択図】図９
2006097233.tif 000002
【特許請求の範囲】
【請求項１】
サッシ枠（Ｓ）を躯体（Ｋ）に取り付けるときにおいて、躯体（Ｋ）側に設ける取付材を躯体側取付材１とし、該躯体側取付材１は中継調節部２および埋込部３ならびに仕切部４よりなり、該中継調節部２は平板状材にボルト貫通用の孔６〜８を設けて平状または立てた形状としたもの、また埋込部３は中継調節部２を延長してＬ型の形状を含むコンクリート抜け出し防止部を設けたものまたは中継調節部２と同材あるいは別材にてＬ型の形状を含むコンクリート抜け出し防止部を設けて中継調節部２に取り付けたもの、仕切部４は外周部に鍔状の型枠取付部５を有したドーム状材を中継調節部２と埋込部３との間に取り付けたもの、また躯体側取付材１の中継調節部２にサッシ枠側取付材２０を連結固定するために用いるものとして平板状材にボルト貫通用の孔６〜８を設けたものまたはボルト貫通用の孔６〜８を設けないものを躯体側連結材１０とし、一方、サッシ枠（Ｓ）側に取り付ける取付材はサッシ枠側取付材２０とし、該サッシ枠側取付材２０は従来用いられているもの、または従来用いられているサッシ枠側取付材２０の機能に加えて躯体側取付材１および躯体側連結材１０に適合する機能を有するもの、すなわちサッシ枠側連結部２３がサッシ枠（Ｓ）幅面上で回動可能に、ないしはサッシ枠（Ｓ）長手方向・幅方向に向けておよび幅面上で回動可能に、さらにはサッシ枠（Ｓ）幅方向に移動・回動の後にボルト・ナット１５締めにて固定可能に取付基台２１に取り付けたものとし、サッシ枠（Ｓ）を躯体（Ｋ）に取り付けるときには、躯体（Ｋ）側には躯体側取付材１を、またサッシ枠（Ｓ）側にはサッシ枠側取付材２０を取り付けた上で、該躯体側取付材１の中継調節部２に躯体側連結材１０を取り付けると共にサッシ枠（Ｓ）の幅方向の位置調節をしてボルト・ナット１５にて締め付け固定し、該躯体側連結材１０の取り付けられた躯体（Ｋ）開口部にサッシ枠側取付材２０の取り付けられたサッシ枠（Ｓ）をはめ込み、該サッシ枠（Ｓ）の上下方向および左右方向の位置調節をサッシ枠側取付材２０に備えられた移動・回動機能と躯体側連結材１０により行った上で、該躯体側連結材１０とサッシ枠側連結部２３を重ね合わせてボルト・ナット１５、あるいはビス類を用いてサッシ枠（Ｓ）を躯体（Ｋ）に連結固定するサッシ枠取付工法。
【発明の詳細な説明】
【技術分野】
【０００１】
本発明は、建物に出入口や窓類を設けるために取り付けるサッシ枠の取付工法に関するものである。
【背景技術】
【０００２】
建物に設ける出入口や窓類、または給排気・換気用のガラリ、あるいは設備機器類の点検用の扉など（以下「窓類」という）のうち金属製の枠類（以下「サッシ枠」という）を有する窓類を取り付けるときには、建物躯体側取付材とサッシ枠側取付材を溶接作業により取り付けるのが従来工法であるが、この工法では溶接作業時に発生する火花被害や火気使用による危険などのために溶接取付以外のサッシ枠取付工法の開発が要望されていた。
そのための方法として、サッシ枠側に設けられた連結フィンと躯体側に設けられた被連結フィンとを螺子止め固定する方法も特開２００４−１２４３５５号に開示されはいるが、この方法では躯体側に設ける被連結フィンを躯体コンクリート打設後に取り付ける工法であるために、躯体コンクリート打設時にはすでに躯体側取付材が躯体に取り付けられていた従来工法とは大きく作業工程が異なることになるものであった。
【特許文献１】特開２００４−１２４３５５号
【発明の開示】
【発明が解決しようとする課題】
【０００３】
そこで本発明では、従来に準ずる作業工程の中で躯体コンクリート打設後でも溶接作業を必要としないでサッシ枠を躯体に取り付けることができるようにした躯体側取付材の提供と、その取付材を用いたサッシ枠取付工法の提供を目的としたものである。
【課題を解決するための手段】
【０００４】
サッシ枠を躯体に取り付けるときにおいて、躯体側に設ける取付材を躯体側取付材とし、該躯体側取付材は中継調節部および埋込部（躯体への固定部）ならびに仕切部よりなり、該中継調節部は平板状材（平板材、Ｌ型・コ型等の平板状部を有する型材、丸棒・角棒・異形鉄筋等の棒材類の一部を平板状に加工して平板状部を有する形状としたものなど以下「平板状材」という）にボルト貫通用の孔（丸孔、長孔、中長孔をいう以下特記なき場合は同様とする）を設けて平状または立てた形状としたもの、また埋込部は中継調節部を延長してＬ型の形状を含むコンクリート抜け出し防止部を設けたものまたは中継調節部と同材あるいは別材にてＬ型の形状を含むコンクリート抜け出し防止部を設けて中継調節部に取り付けたもの、仕切部は外周部に鍔状の型枠取付部を有したドーム状材を中継調節部と埋込部との間に取り付けてコンクリート打設時における中継調節部へのコンクリートの流入を防止するようにしたもの、また躯体側取付材の中継調節部にサッシ枠側取付材を連結固定するために用いるものとして平板状材にボルト貫通用の孔を設けたものまたはボルト貫通用の孔を設けないものを躯体側連結材とし、一方、サッシ枠側に取り付ける取付材はサッシ枠側取付材とし、該サッシ枠側取付材は従来用いられているもの、すなわちサッシ枠長手方向に移動可能の形態とした摺動部が形成されてサッシ枠に取り付けた取付基台と、該取付基台にサッシ枠側連結部が平板材にてサッシ枠長手方向・幅方向（見込み方向）に向けて固定あるいは回動可能に取り付けられたもの、または従来用いられているサッシ枠側取付材の機能に加えて躯体側取付材および躯体側連結材に適合する機能を有するもの、すなわちサッシ枠側連結部がサッシ枠幅面上で回動可能に、ないしはサッシ枠長手方向・幅方向に向けておよび幅面上で回動可能（図８のサッシ枠側取付材２０ｎ）に、さらにはサッシ枠幅方向に移動・回動の後にボルト・ナット締めにて固定可能（図８のサッシ枠側取付材２０ｍ）に取付基台に取り付けたものとし、サッシ枠を躯体に取り付けるときには、躯体側には躯体側取付材を、またサッシ枠側にはサッシ枠側取付材を取り付けた上で、該躯体側取付材の中継調節部に躯体側連結材を取り付けると共にサッシ枠の幅方向（見込み方向、以後「出入り」という）の位置調節をしてボルト・ナットにて締め付け固定し、該躯体側連結材の取り付けられた躯体開口部にサッシ枠側取付材の取り付けられたサッシ枠をはめ込み、該サッシ枠の上下方向および左右方向の位置調節をサッシ枠側取付材に備えられた移動・回動機能と躯体側連結材により行った上で、該躯体側連結材とサッシ枠側連結部を重ね合わせてボルト・ナット、あるいはビス類を用いてサッシ枠を躯体に連結固定する、中継調節部を有する躯体側取付材を用いたことを特長とするサッシ枠取付工法である。
【０００５】
なを、コンクリート打設時における躯体側取付材の中継調節部へのコンクリート流入防止に関しては、中継調節部と埋込部との間に取り付けた仕切部にかえて、躯体側取付材の中継調節部を型枠取付時には発泡材等により覆い、コンクリート打設後には覆われていた発泡材等を除去して中継調節部を露出させたものとしてもよい。
【０００６】
また、躯体側取付材の中の中継調節部をコンクリート造以外の鉄骨造、またはＡＬＣ造等に取付使用する場合でも、現場搬入前の加工工場あるいは工事現場内の溶接可能場所における中継調節部の事前取付作業により、現場でのサッシ枠取付時における溶接作業の排除が可能となるものである。
【発明の効果】
【０００７】
本考案による建物躯体へのサッシ枠取付工法を用いるときには、従来の施工方法であるサッシ枠取付時での溶接作業が不要となるために、溶接作業時に発生する火花被害や火災発生の危険が解消されるとともに、溶接工の資格をもたないために出来なかった有能で経験豊富な作業者によるサッシ枠取付作業という仕事が出来るという効果もある。
【発明を実施するための最良の形態】
【０００８】
以下、本発明を実施するための最良の形態について図面に基づいて説明する。
図７はサッシ枠側取付材２０および躯体側取付材１の取付位置図、また図９、図１０は図７に示したケ−ケ拡大断面図およびコーコ拡大断面図である。
これより躯体（Ｋ）へのサッシ枠（Ｓ）の取付方法と、該取り付けに用いる躯体側取付材１およびサッシ枠側取付材２０について順次説明する。なを、ここに示したサッシ枠（Ｓ）取付状態は図９のケ−ケ拡大断面図においてはサッシ枠（Ｓ）と躯体（Ｋ）との間隔がサッシ枠（Ｓ）横方向では左方が狭く右方が広い状態を示し、図１０のコーコ拡大断面図においては躯体側取付材１の取付状態が上方では略水平に取り付けらたものに対して、下方では傾斜状に取り付けられた状態を示している。
【０００９】
まず、躯体側取付材１およびサッシ枠側取付材２０について説明する。
躯体（Ｋ）に取り付ける躯体側取付材１は図１に示した躯体側取付材１ａとし、該躯体側取付材１ａは中継調節部２ａおよび埋込部３ａならびに仕切部４ａよりなり、該躯体側取付材１ａの中継調節部２ａはコ状とした丸棒材の下辺部を横長に立てた形状となる平板状としたものにボルト貫通用の長孔６を設けたもの、また埋込部３ａは中継調節部２ａの延長上にある丸棒材のコ状竪部と上辺部によるＬ型状でコンクリート抜け出し防止部とし、該埋込部３ａと中継調節部２ａとの間には板材を加工した外周部に釘孔９のある鍔状の型枠取付部５を有するドーム状の仕切部４ａを取り付けてコンクリート打設時における中継調節部２ａへのコンクリートの流入を防止するようにしたものである。
【００１０】
一方、サッシ枠（Ｓ）に取り付けるサッシ枠側取付材２０は図８に示したサッシ枠側取付材２０ｏとし、該サッシ枠側取付材２０ｏは取付基台２１ｏとサッシ枠側連結部２３ｏよりなり、該取付基台２１ｏは平板材１１の長手両側に切り込み部を入れて折り曲げた摺動部２２、２２を設けてサッシ枠（Ｓ）長手方向への移動を可能としたもの、またサッシ枠側連結部２３ｏは中長孔７の設けられた平板材１１を取次材となるＬ型材１２に回動可能に連結した上で、該取次材となるＬ型材１２を中長孔７の設けられた平板材１１がサッシ枠（Ｓ）長手方向に回動可能となる形態として取付基台２１ｏ中央部に取り付けたものである。
【００１１】
また躯体（Ｋ）に取り付けた躯体側取付材１ａの中継調節部２ａには、サッシ枠（Ｓ）の出入り調節と共にサッシ枠側連結部２３ｏを連結固定するための部分となる躯体側連結材１０をＬ型材１２の両平板状部にボルト貫通用の長孔６・６を設けてボルト・ナット１５締めにて取り付けたものである。（図５の躯体側連結材１０ｌの、Ｌ型材１２の両平板状部のうち一平板状部に丸孔８を設けたものにかえて、Ｌ型材１２の両平板状部に長孔６・６を設けたもの、また図６に示した躯体側取付材１ａの使用例図中のクーク断面図（使用時）、キーキ断面図（使用時）の形態である。）
【００１２】
次ぎに躯体側取付材１ａの型枠への取り付けについて説明する。
躯体側取付材１ａを型枠に取り付けるときには、躯体側取付材１ａの中継調節部２ａをサッシ枠（Ｓ）長手方向に直交するようにして取り付ける（図９、図１０）と共に、サッシ枠（Ｓ）取付時におけるサッシ枠（Ｓ）出入り調節に関わる躯体側連結材１０の移動範囲を検討考慮した取り付けとするものである。
【００１３】
またサッシ枠（Ｓ）に取り付けるサッシ枠側取付材２０ｏは、取付基台２１ｏに形成された摺動部２２、２２をサッシ枠（Ｓ）にはめ込み取り付ける従来の取り付け方法に準じたものである。
【００１４】
以下、取り付け位置が確定された躯体（Ｋ）へのサッシ枠（Ｓ）の取り付けについて説明する。
１）まず、躯体側取付材１ａの中継調節部２ａに躯体側連結材１０をボルト・ナット１５にて取り付けると共にサッシ枠（Ｓ）の出入り調節を行った後に、該ボルト・ナット１５を締め付けて躯体側連結部１０を固定する。
このときの躯体側連結材１０は図９、図１０に示したようにサッシ枠（Ｓ）上枠用の躯体側連結材１０は下方に向けて垂直にし、サッシ枠（Ｓ）下枠用の躯体側連結材１０は上方に向けて垂直にし、またサッシ枠（Ｓ）竪枠用の躯体側連結材１０は横方向に向けて水平に取り付けるもである。これにより取り付けられた躯体側連結材１０は、長孔６・６を有するＬ型材１２の平板状部の一面がサッシ枠（Ｓ）に取り付けられたサッシ枠側連結部２３ｏと重ね合わせることができる形態となる。またサッシ枠（Ｓ）下枠用として傾斜状に取り付けられた躯体側取付材１ａも、躯体側連結材１０の中継調節部２ａへの取付時におけるボルト・ナット１５締め時に上向き垂直方向への角度調節ができる（図１０コーコ拡大断面図）ものである。なを躯体側連結材１０の中継調節部２ａへの取り付けは、コンクリート打設後に中継調節部２ａへ取り付ける、または躯体側取付材１ａを型枠に取り付ける前に中継調節部２ａへボルト・ナット１５にて仮取り付けしたもののいずれでもよい。
２）次ぎに、サッシ枠側取付材２０ｏの取り付けられたサッシ枠（Ｓ）を躯体（Ｋ）開口部にはめ込み、決定されたサッシ枠（Ｓ）取付位置に合わせて位置調節をした後にくさび類を用いて仮止めをする。
３）このときのサッシ枠（Ｓ）の位置調節について説明する。
躯体（Ｋ）開口部にはめ込まれたサッシ枠（Ｓ）は、図９で示した取付用間隔の広い右側でのサッシ枠（Ｓ）の取り付けでは、サッシ枠側取付材２０ｏの長孔６を有するサッシ枠側連結部２３ｏは横方向に伸ばした状態（サーサ断面図右側）で躯体側取付材１ａの躯体側連結材１０に重ね合わせてボルト・ナット１５締めにて連結固定する。
４）一方、取付用間隔の狭い左側のサッシ枠（Ｓ）の取り付けでは、サッシ枠側取付材２０ｏのサッシ枠側連結部２３ｏはサッシ枠（Ｓ）長手方向に倒すと共に、取付基台２１ｏに形成された摺動部２２、２２にてサッシ枠（Ｓ）長手方向に移動してサッシ枠側連結部２３ｏと躯体側連結材１０を重ね合わせて（サーサ断面図左側）ボルト・ナット１５締めにて連結固定するものである。
５）サッシ枠（Ｓ）に取り付けられたすべてのサッシ枠側取付材２０ｏを躯体側取付材１ａの躯体側連結材１０に連結固定した後には、仮止め用のくさび類を取り外しサッシ枠（Ｓ）周りのモルタル充填をして、躯体（Ｋ）へのサッシ枠（Ｓ）の取り付けを終了することになる。
【００１５】
本実施の形態におけるサッシ枠取付工法に関する特長は、
ａ）ボルト・ナット１５を用いての取り付けであるために溶接作業が不要であること。
ｂ）サッシ枠（Ｓ）の出入り調節を、躯体側取付材１ａの中継調節部２ａに取り付ける躯体連結部１０によりできること。
ｃ）サッシ枠（Ｓ）の上下・左右に関する位置調節はサッシ枠側取付材２０ｏの取付基台２１ｏに形成された摺動部２２、２２によりサッシ枠（Ｓ）長手方向への移動ができると共に、サッシ枠側連結部２３ｏに備えられた回動機能によりできること。
ｄ）またサッシ枠（Ｓ）下枠用の躯体側取付材１ａが傾斜状に取り付けられた場合でも、中継調節部２ａに取り付けられる躯体側連結材１０のボルト・ナット１５締めによる連結固定時に上向き垂直方向への角度調節ができること。
ｅ）サッシ枠側連結部２３ｏと躯体側連結材１０とを連結固定するためのボルト・ナット１５締め作業が、サッシ枠（Ｓ）の正面方向よりの作業としてできることなどである。
【実施例】
【００１６】
本発明のサッシ枠取付工法におけるサッシ枠（Ｓ）の取り付けにかかわる躯体側取付材１、および躯体側連結材１０、並びにサッシ枠側取付材２０についての実施例を示す。
本例に示す躯体側取付材１は中継調節部２、および埋込部３、ならびに仕切部４よりなるもので、図１の中の躯体側取付材１ａは、躯体側取付材１ａの中継調節部２ａはコ状とした丸棒材の下辺部を横長に立てた形状となる平板状としたものにボルト貫通用の長孔６を設けたもの、また埋込部３ａは中継調節部２ａの延長上にある丸棒材のコ状竪部と上辺部によるＬ型状でコンクリート抜け出し防止部とし、該埋込部３ａと中継調節部２ａとの間には板材を加工した外周部に釘孔９のある鍔状の型枠取付部５を有するドーム状の仕切部４ａを取り付けてコンクリート打設時における中継調節部２ａへのコンクリートの流入を防止するようにしたものである。
図１の中の躯体側取付材１ｂは、前記にて示した躯体側取付材１ａの中継調節部２ａを、コ状とした丸棒材の下辺部を横長に立てた形状となる平板状としたものにボルト貫通用の長孔６を設けたものにかえて、Ｌ型材１２の両平板状部にボルト貫通用の長孔６・６を有する中継調節部２ｂとし、該中継調節部２ｂにＬ型状に折り曲げた丸棒材を埋込部３ｂとして取付溶接したものである。
【００１７】
図２に示したものは躯体側取付材１の中の中継調節部２に丸孔８を有するもので、図２の中の躯体側取付材１ｃは、図１の躯体側取付材１ａの中継調節部２ａをコ状とした丸棒材の下辺部を横長に立てた形状となる平板状としたものにボルト貫通用の長孔６を設けたものにかえて、Ｌ状とした丸棒材の竪部の端部を平板状としてボルト貫通用の丸孔８を設けて立てた形状とて中継調節部２ｃとしたもの、またコンクリートへの埋込部３ｃは中継調節部２ｃの延長上にあるＬ型状で形成された丸棒材の部分となる。
図２の中の躯体側取付材１ｄは、図１の躯体側取付材１ｂの中継調節部２ｂを、Ｌ型材１２の両平板状部にボルト貫通用の長孔６・６を有するものにかえて、Ｌ型材１２の両平板状部にボルト貫通用の丸孔８・８を有するものを中継調節部２ｄとしたものである。
図２に示した躯体側取付材１ｃ、躯体側取付材１ｄは、中継調節部２に設けられたボルト貫通用の孔を丸孔８としたために、図１に示した長孔６を有する中継調節部２に比して躯体側連結材１０の横移動はできないものとなる。
【００１８】
図３は躯体側取付材１ｅの斜視図、図４は躯体側取付材１ｅに取り付ける躯体側連結材１０ｅの斜視図と正面図である。躯体側取付材１ｅは、図２に示した躯体側取付材１ｃの中継調節部２ｃの丸孔８に最初から躯体側連結材１０ｅを回動可能に取り付けたものである。ここに示した躯体側取付材１ｅは、図２に示した躯体側取付材１ｃでは中継調節部２ｃによる横移動調節が出来ないために低下するサッシ枠（Ｓ）取付時の調節機能を補うものとして、図４に示した長短のあるＬ型材１３の長方平板状部に長孔６を設けてもう一方の短方平板状部を別途Ｌ型材１２に回動可能に取り付け、さらに該別途Ｌ型材１２を躯体側取付材１ｅの丸孔８の設けられた中継調節部２ｃに回動可能に連結したものである。
この躯体側取付材１ｅは、図３に示すように躯体側取付材１ｅを型枠に取り付けるときには躯体側連結材１０ｅを横向きにして取り付け、コンクリート打設後のサッシ枠（Ｓ）取付時には躯体側連結材１０ｅを下向きにすることによって、該躯体側連結材１０ｅは縦方向と横方向への回動が可能となり、サッシ枠（Ｓ）取付時の調節機能を補うものとなる。
【００１９】
図５は躯体側連結材１０の実施例の斜視図である。
躯体側連結材１０ｆは、長手方向小口に平板材を取り付けたＬ型材１４の両平板状部には長孔６、６を、また長手方向小口に取り付けた平板材には丸孔８を設けたものである。
躯体側連結材１０ｇは、丸孔８を設けたＬ型材１２に、長孔６と中長孔７を設けたＬ型材１２を回動可能に取り付けたものである。
躯体側連結材１０ｈは、丸孔８を設けたＬ型材１２に、前記にて示した躯体側連結材１０ｆの長手方向小口に平板材を取り付けたＬ型材１４の長手方向小口に取り付けた平板材を回動可能に連結したものである。
躯体側連結材１０ｉは、平板材１１に長孔６を設けたものである。
躯体側連結材１０ｊは、長短のあるＬ型材１３の長方平板状部には長孔６を、また短方平板状部には丸孔８を設けたものである。
躯体側連結材１０ｋは、丸孔８を設けたＬ型材１２に、中長孔７を設けた平板材１１を回動可能に取り付けたものである。
躯体側連結材１０ｅは、丸孔８を設けたＬ型材１２に、前記した躯体側連結材１０ｊの長短のあるＬ型材１３の短方平板状部を回動可能に連結したものである。
躯体側連結材１０ｌは、Ｌ型材１２の両平板状部のうち、一平板状部に丸孔８を設けたものである。
この躯体側連結材１０ｌは、これまでに示した方法である決められた大きさのボルト・ナット１５を用いた連結固定方法以外の方法、すなわち躯体側連結材１０およびサッシ枠側連結部２３が共に孔の設けられてない平板状のものを重ね合わせた後に、ドリル等で穴をあけてビス類にて連結固定するなどの方法に対応できるようにした躯体側連結材１０の例として示したものである。
【００２０】
図６は躯体側連結材１０が取り付けられた躯体側取付材１ａの使用例である。
本例は前記にて示した図１の躯体側取付材１ａの中継調節部２ａに、Ｌ型材１２の両平板状部に長孔６・６の設けられた躯体側連結材１０を最初からボルト・ナット１５にて仮止めしたものを型枠に取り付けた状態（躯体側取付材斜視図およびク−ク断面図）と、コンクリート打設・型枠解体後のサッシ枠（Ｓ）取付使用時における躯体側取付材１ａと躯体側連結材１０の状態（キーキ断面図、クーク断面図）を示したものである。
ここに示したものは躯体側連結材１０を最初から躯体側取付材１ａに取り付けてあるために、型枠解体後のサッシ枠（Ｓ）取付時には取付位置の確定したサッシ枠（Ｓ）の出入り調節をした後に緩めたボルト・ナット１５を中継調節部２ａに堅く締め直し躯体側連結材１０を固定すればよいことになる。
【００２１】
図８はサッシ枠（Ｓ）に取り付けるサッシ枠側取付材２０の斜視図である。
図８に示したサッシ枠側取付材２０は取付基台２１とサッシ枠側連結部２３よりなるもので、図８の中のサッシ枠側取付材２０ｍは、取付基台２１ｍを長孔６の設けられた平板材１１の長手両側に切り込み部を入れて折り曲げた摺動部２２、２２を設けてサッシ枠（Ｓ）長手方向への移動を可能としたもの、またサッシ枠側連結部２３ｍは中長孔７の設けられた平板材１１を取付材となるＬ型材１２に回動可能に連結した上で、該取付材となるＬ型材１２にボルト貫通用の丸孔８を設けて取付基台２１ｍに設けられた長孔６にボルト・ナット１５締めにて取り付けたものである。
図８の中のサッシ枠側取付材２０ｎは、取付基台２１ｎを平板材１１の長手両側に切り込み部を入れて折り曲げた摺動部２２、２２を設けてサッシ枠（Ｓ）長手方向への移動を可能としたもの、またサッシ枠側連結部２３ｎは中長孔７の設けられた平板材１１を取次材となるＬ型材１２に回動可能に連結した上で、該取次材となるＬ型材１２を取付基台２１ｎの中央部に回動可能に取り付けたものである。
図８の中のサッシ枠側取付材２０ｏは、取付基台２１ｏを平板材１１の長手両側に切り込み部を入れて折り曲げた摺動部２２、２２を設けてサッシ枠（Ｓ）長手方向への移動を可能としたもの、またサッシ枠側連結部２３ｏは中長孔７の設けられた平板材１１を取付材となるＬ型材１２に回動可能に連結した上で、該取次材となるL型材１２を中長孔７の設けられた平板材１１がサッシ枠（Ｓ）長手方向に回動可能となる形態として取付基台２１ｏの中央部に取り付けたものである。
図８の中のサッシ枠側取付材２０ｐは、取付基台２１ｐを平板材１１の長手両側に切り込み部を入れて折り曲げた摺動部２２、２２を形成してサッシ枠（Ｓ）長手方向への移動を可能としたもの、またサッシ枠側連結部２３ｐは長孔６の設けられた平板材１１がサッシ枠（Ｓ）長手方向に略平行に縦長に立てた形態として取付基台２１ｏの中央部に取り付けられたものである。
【００２２】
図１１、図１２は躯体側取付材１とサッシ枠側取付材２０の取付例である。
図１１は図２に示した躯体側取付材１ｃの中継調節部２ｃに、図５に示した平板材１１に長孔６を設けた躯体側連結材１０ｉを連結したもの、一方サッシ枠側取付材２０は図８に示したサッシ枠側取付材２０ｎとしたものでサッシ枠側連結部２３ｎが取付基台２１ｎの中央部に回動可能に取り付けられたものである。図１１に示したサッシ枠（Ｓ）の取り付け状態は、コンクリートに埋め込まれた躯体側取付材１ｃがサッシ枠（Ｓ）に直交しない状態で取り付けられた場合（タータ断面図）を示すと共に、この状態の躯体側取付材１ｃにボルト・ナット１５締めするサッシ枠側連結部２３ｎがサッシ枠（Ｓ）幅面上で回動して向きを変えた状態（チーチ断面図）と、躯体（Ｋ）とサッシ枠（Ｓ）との間隔の広狭調節にも躯体側連結材１０ｉとサッシ枠側連結部２３ｎが斜めになり対応している（セーセ断面図、ソーソ断面図）ことを示したものである。なを、この時における躯体側取付材１とサッシ枠側取付材２０とのボルト・ナット１５締めの作業は前記実施の形態に示したサッシ枠（Ｓ）取付時の正面方向よりのボルト・ナット１５締めとは異なる横方向でのボルト・ナット１５締め付け作業となる。
【００２３】
図１２は躯体側取付材１の中継調節部２を平板状とした丸棒材に丸孔８を設けて平状に折り曲げて形成したもの（型枠面に面する形状）に、図５に示した長孔６と丸孔８を有する躯体側連結材１０ｊをボルト・ナット１５締めにて連結したもの、一方サッシ枠側取付材２０は図８のサッシ枠側取付材２０ｏの取付基台２１ｏに取り付けられたサッシ枠側連結部２３ｏの取り付け方向をかえて取次材となるＬ型材１２に回動可能に連結された中長孔７の設けられた板材１１をサッシ枠（Ｓ）幅方向に回動可能な形態として取付基台２１ｏの中央部に取り付けたもの（ナーナ断面図）である。図１２に示したサッシ枠（Ｓ）の取り付け状態は、コンクリートに埋め込まれた躯体側取付材１がサッシ枠（Ｓ）に直交しない状態で取り付けられた場合（トート断面図）でも、躯体側取付材１の中継調節部２に連結する躯体側連結材１０ｊの方向調節がボルト・ナット１５締めであるために可能であると共に、躯体（Ｋ）とサッシ枠（Ｓ）との間隔の広狭調節にも躯体側連結材１０ｊとサッシ枠側連結部２３ｏにより対応できる（ツーツ断面図）ことを示したものである。
本例における躯体側取付材１とサッシ枠側取付材２０のボルト・ナット１５締めの作業も、図１１に示したものと同様の横方向での締め付け作業となる。
【図面の簡単な説明】
【００２４】
【図１】中継調節部に長孔を有する躯体側取付材の断面図および斜視図
【図２】中継調節部に丸孔を有する躯体側取付材の断面図および斜視図
【図３】躯体側連結材の取り付けられた躯体側取付材の斜視図
【図４】中継調節部に取り付ける躯体側連結材の斜視図および正面図
【図５】躯体側連結材の斜視図
【図６】躯体側取付材１ａの使用例
【図７】サッシ枠側取付材および躯体側取付材の取付位置図
【図８】サッシ枠側取付材斜視図
【図９】ケーケ拡大断面図
【図１０】コーコ拡大断面図
【図１１】躯体側取付材とサッシ枠側取付材の取付例−１
【図１２】躯体側取付材とサッシ枠側取付材の取付例−２
【符号の説明】
【００２５】
１・  １ａ〜  １ｅ・・・・・躯体側取付材
２・  ２ａ〜  ２ｄ・・・・・中継調節部
３・  ３ａ〜  ３ｄ・・・・・埋込部
４・  ４ａ〜  ４ｅ・・・・・仕切部
５・              ・・・・・型枠取付部
６・              ・・・・・長孔
７・              ・・・・・中長孔
８・              ・・・・・丸孔
９・              ・・・・・釘孔
１０・１０ｅ〜１０ｌ・・・・・躯体側連結材
１１・              ・・・・・平板材
１２・              ・・・・・Ｌ型材
１３・              ・・・・・長短のあるＬ型材
１４・              ・・・・・長手方向小口に平板材を取り付けたＬ型材
１５・              ・・・・・ボルト・ナット
２０・２０ｍ〜２０ｐ・・・・・サッシ枠側取付材
２１・２１ｍ〜２１ｐ・・・・・取付基台
２２・              ・・・・・摺動部
２３・２３ｍ〜２３ｐ・・・・・サッシ枠側連結部
（Ｋ）              ・・・・・躯体
（Ｓ）              ・・・・・サッシ枠
【図１】
2006097233.tif 000003
【図２】
2006097233.tif 000004
【図３】
2006097233.tif 000005
【図４】
2006097233.tif 000006
【図５】
2006097233.tif 000007
【図６】
2006097233.tif 000008
【図７】
2006097233.tif 000009
【図８】
2006097233.tif 000010
【図９】
2006097233.tif 000011
【図１０】
2006097233.tif 000012
【図１１】
2006097233.tif 000013
【図１２】
2006097233.tif 000014